(57)【要約】  移動局アプリケーション（４１９）は、データ・バッファ（４２１）内に格納しているデータ上にＳＩをピギーバックし、またＳＩ情報にインジケータを追加するためのＳＩユニット（４０９）を含むことができる。スケジューリング情報および／または増分制御情報（５０１）は、データＰＤＵ上にピギーバックされ、またシーケンス番号（５０３）および実施形態によりＳＩユニット（４０９）のようなＳＩユニットにより追加されるインジケータ・フィールド（５０５）を有する。インジケータは、４つのビット位置を有するビットマップであってもよい。２進法の「１」の値を有するビット位置は、ＳＩ情報の以前のＳＮが依然として有効であることを表示するために使用することができる。例えば、ビットマップ・シーケンスの「０１００」は、ＳＮ＃３が依然として有効であることを表示することができる。次に、基地局またはコントローラは、表示されたＳＮを有するＳＩ情報を実施すべきかまたは破棄すべきかを判定することができる。
2010511356.tif 000002
【特許請求の範囲】
【請求項１】
移動局を作動する方法であって、
制御情報を、データ・パケットシーケンス番号を有するデータ・パケットに付加するステップと、
前記制御情報に、前記データ・パケットのシーケンス番号とは異なる制御情報シーケンス番号を追加するステップと、
前記データ・パケットに対するリソース割当てにより前記データ・パケットを送信するステップと、
を含む方法。
【請求項２】
前記データ・パケットに対する否定応答メッセージを受信した場合に、前記制御情報を再送するステップをさらに含む請求項１に記載の方法。
【請求項３】
前記制御情報に、前記以前に送信された制御情報が依然として有効である、以前に送信された制御情報の制御情報シーケンス番号を示すビットマップを追加するステップをさらに含む請求項１に記載の方法。
【請求項４】
前記制御情報に、前記以前に送信された制御情報がもはや有効でなく、廃棄することができる、以前に送信された制御情報の制御情報シーケンス番号を示すビットマップを追加するステップをさらに含む請求項１に記載の方法。
【請求項５】
前記制御情報が、スケジューリング情報である請求項１に記載の方法。
【請求項６】
前記制御情報が、チャネル品質情報を含む請求項１に記載の方法。
【請求項７】
移動局であって、
少なくとも１つのトランシーバと、
前記トランシーバと結合している少なくとも１つのプロセッサとを備え、前記トランシーバおよび前記プロセッサが、
データ・パケットのシーケンス番号を有するデータ・パケットに制御情報を付加し、
前記データ・パケットのシーケンス番号とは異なる制御情報シーケンス番号を前記制御情報に追加し、
前記データ・パケットに対するリソース割当てにより前記データ・パケットを送信する
ように構成される移動局。
【請求項８】
前記トランシーバおよび前記プロセッサが、
前記データ・パケットに対する否定応答メッセージを受信した場合に、前記制御情報を２回目再送するようにさらに構成される請求項７に記載の移動局。
【請求項９】
前記トランシーバおよび前記プロセッサが、
前記制御情報に、前記以前に送信された制御情報が依然として有効である、以前に送信された制御情報の制御情報シーケンス番号を示すビットマップを追加するようにさらに構成される請求項７に記載の移動局。
【請求項１０】
前記トランシーバおよび前記プロセッサが、
前記制御情報に、前記以前に送信された制御情報がもはや有効でなく、廃棄することができる、以前に送信された制御情報の制御情報シーケンス番号を示すビットマップを追加するようにさらに構成される請求項７に記載の移動局。
【発明の詳細な説明】
【技術分野】
【０００１】
本発明は、通信チャネルによるデータ送信のスケジューリングに関し、特に、データ送信リソースによるアップリンクデータ送信に対して、正しい順序で区分化したスケジューリングおよび／または制御情報を提供するための方法および装置に関する。
【背景技術】
【０００２】
例えば、パケット・データ通信システムのような無線通信システムは共有チャネルを使用することができる。この場合、ネットワークは、リソースを要求している移動体の数、移動体のチャネル状態、および移動局がリソースを要求しているサービスに基づいてアップリンク送信用に移動局にリソースを割当てる。
【０００３】
移動局は、ネットワークに、各無線ベアラのバッファ状態に関する情報、または無線ベアラのグループに対する情報を送信する。通常、移動局が使用する各サービスは、１つの無線ベアラに対してマッピングされる。各サービス、それ故、各無線ベアラは優先度と関連している。シグナリングのオーバーヘッドの量を最小限度に低減するために、好適には、移動局にすべての無線ベアラに亘ってそのバッファ内のデータ量を表示させ、例えば、送信待ちのデータを有している優先度の最も高い無線ベアラを表示させることが好ましい。そうすることにより、ネットワークは、ある程度の公平さでリソースを割当てることができる。
【０００４】
スケジューリング情報（ＳＩ）と呼ぶこともできるバッファ状態情報は、移動局により、レイヤ１または媒体アクセス制御（ＭＡＣ）レイヤ内で効果的に終端するアップリンク制御情報により、または共有データ・チャネルを通してネットワークにピギーバック情報として送信することができる。いわゆるピギーバック情報は、区分化することができ、データ・チャネルにより送信中のデータ・パケットに追加することができるスケジューリングおよび／または制御情報である。
【０００５】
共有データ・チャネルにより送信されたデータは、パラレル・ハイブリッド自動繰返し要求（ＨＡＲＱ）チャネルまたはプロセスにより送信される。しかし、ＨＡＲＱ機構は、ピギーバックされたスケジューリングおよび／または制御情報を含んでいることがあるデータ・パケットを、ネットワークが間違った順序で受信する恐れがあることを意味する。このことは、すべてのＩＰフローに亘って共通の制御情報が、ＩＰフローのうちの１つと関連するデータ・パケットに付加される場合に特に当てはまる。この場合には、データ・パケットに関連するシーケンス番号を、制御情報を順番に配列するために使用することができない。それ故、例えば、スケジューリング情報を当該時刻に受信することができない場合も出てくるし、または区分化されている場合には、受信することはできても、おそらく間違った順序で適用される恐れがある。
【０００６】
それ故、ネットワークが、間違った順序のパケット内で受信した区分化されたデータの正しい順序を判定する機構を有していたとしても、ネットワークのところのスケジューラは、ピギーバックされた情報の順序を識別することができず、誤った情報に基づいて移動局をスケジューリングしてしまう恐れがある。
【０００７】
さらに、種々の規則を、移動局が周期的にまたはイベントによるトリガによりＳＩを送信することができるように適用することができ、非常に高速なシーケンシャルなＳＩ送信を行うことができる。
【発明の概要】
【発明が解決しようとする課題】
【０００８】
それ故、スケジューリングおよび／または制御情報の配列順序を表示するための装置および方法が求められている。この場合、スケジューリングおよび／または制御情報は、内蔵されているスケジューリングおよび／または制御情報の順序とは必ずしも関連していないシーケンス番号を有するパケット内に含まれている。
【課題を解決するための手段】
【０００９】
種々の実施形態の場合、ネットワーク・スケジューラが、間違った順序の配信を識別し、それによりデータ・パケット部分に対するＡＲＱ／ＨＡＲＱによる問題を避けるのを助けるために、２ビット／３ビット・シーケンス番号により実施されたインジケータが、データ・パケット上でピギーバックされているＳＩに追加される。
【００１０】
種々の実施形態のスケジューラは、インジケータの判定に従って、任意のＳＩの間違った順序の受信を適用することもできるし、または単に廃棄することもできる。さらに、いくつかの実施形態の場合には、スケジューラにサイズ１のウィンドウを適用し、それにより古いＳＩを確実に識別することにより動作を簡単にすることができる。さらに、いくつかの実施形態の場合には、ＳＩ送信トリガの数を制限することにより、期限切れになったＳＩの適用を防止するのを容易にする。
【図面の簡単な説明】
【００１１】
【図１】移動局が、種々の無線ベアラまたはＩＰフローにより送信された、パケット・データ上でピギーバックされたスケジューリングおよび／または制御情報を送信することができる無線パケット通信ネットワークのブロック図。
【図２】種々の優先度のデータがバッファされているおよび／またはキューイングされている移動局送信バッファのブロック図。
【図３】種々の実施形態による移動局および基地局アーキテクチャを示す図面。
【図４】種々の実施形態による移動局のブロック図。
【図５ａ】種々の実施形態によるＳＩおよび／または増分制御情報の構造のビットマップ、およびＰＤＵ上でのＳＩ等のピギーバックにより移動局が送信したインジケータのビットマップ。
【図５ｂ】種々の実施形態によるＳＩおよび／または増分制御情報の構造のビットマップ、およびＰＤＵ上でのＳＩ等のピギーバックにより移動局が送信したインジケータのビットマップ。
【図６】上記実施形態による方法を示す流れ図。
【発明を実施するための形態】
【００１２】
ここで、類似の参照符号が類似の構成要素を示している図面を参照すると、図１は、各基地局が対応するカバレージ・エリアを有する基地局１０３のような種々の基地局を有する通信ネットワーク１００を示す。一般に、基地局のカバレージ・エリアは重なることができ、また一般に、ネットワーク・カバレージ・エリア全体を形成することができる。基地局は、使用する技術により基地トランシーバ局（ＢＴＳ）、「ノードＢ」およびアクセス・ノード（ＡＮ）のような他の名前で呼ぶことができる。ネットワーク・カバレージ・エリアは、隣接する無線カバレージ・エリアを形成することができる多数の基地局カバレージ・エリアを含むことができる。しかし、隣接する無線カバレージ・エリアを有する必要はなく、それ故、別の方法としては、ネットワーク・カバレージ・エリアを分散することもできる。
【００１３】
さらに、各カバレージ・エリアは、多数の移動局にサービスを提供することができる。移動局は、使用する技術によりアクセス端末（ＡＴ）、ユーザ装置（ＵＥ）または他の用語で呼ぶこともできる。多数の基地局１０３は、迂回中継接続（ｂａｃｋｈａｕｌ  ｃｏｎｎｅｃｔｉｏｎ）を介して基地局コントローラ１０１と接続している。基地局コントローラ１０１および基地局は、無線アクセス・ネットワーク（ＲＡＮ）を形成する。ネットワーク全体は、それぞれが多数の基地局を制御している任意の数の基地局コントローラを備えることができる。別の方法としては、基地局コントローラ１０１は、基地局１０３間の分散機能として実施することもできることに留意されたい。特定の実施態様とは無関係に、基地局コントローラ１０１は、パケット・スケジューラ、パケット区分化および再組立てのようなパケット化された通信用の種々のモジュール、および種々の移動局に適当な無線リソースを割当てるためのモジュールを含む。
【００１４】
基地局１０３は、任意の数の標準エア・インタフェースを通して、また任意の数の変調および符号化スキームにより移動局と通信することができる。例えば、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、Ｅｖｏｌｖｅｄ  ＵＭＴＳ（Ｅ−ＵＭＴＳ）地上無線アクセス（Ｔｅｒｒｅｓｔｒｉａｌ  Ｒａｄｉｏ  Ａｃｃｅｓｓ）（Ｅ−ＵＴＲＡ）またはＣＤＭＡ２０００を使用することができる。さらに、Ｅ−ＵＭＴＳは、直交周波数分割多重化（ＯＦＤＭ）を使用することができ、ＣＤＭＡ２０００は、ウォルシュ符号のような直交拡散符号を使用することができる。また、エア・インタフェースを通して追加のチャネル化を行うために、半直交拡散符号（ｓｅｍｉ−ｏｒｔｈｏｇｏｎａｌ  ｓｐｒｅａｄｉｎｇ  ｃｏｄｅ）を使用することができる。さらに、ネットワークは、展開高速パケット・データ（Ｅ−ＨＲＰＤ：Ｅｖｏｌｖｅｄ  Ｈｉｇｈ  Ｒａｔｅ  Ｐａｃｋｅｔ  Ｄａｔａ）ネットワークであってもよい。種々の実施形態は、任意の適当な無線インタフェースを使用することができる。
【００１５】
いくつかの実施形態の場合には、移動局をグループ分けすることができ、各移動局グループに対して、基地局コントローラ１０１のスケジューリング機能または基地局１０３は、グループ内の移動局により共有される一組の時間−周波数リソースを割当てることができる。一組の共有リソースおよび順序パターンの表示は、制御チャネルにより基地局１０３から移動局にシグナリングすることができる。さらに、制御チャネルを、一組の共有リソースの最初のフレームと予め定義した関連を有する任意のフレームにより送信することができる。一組の共有リソースは、制御チャネルが送信される同じフレーム内で開始することができ、制御チャネルが送信されるフレームに対して固定開始点を有することができ、または制御チャネルにより明示的にシグナリングすることもできる。いずれにせよ、種々の実施形態は、移動局にリソースを割当てるための許可メッセージ、および最も低いデータ優先度を示すスケジューリング・メッセージを使用する。
【００１６】
種々の実施形態の場合には、移動局は、プロトコル・データ・ユニット（ＰＤＵ）を送信するために無線ベアラを使用する。この場合、無線ベアラを、インターネット・プロトコル（ＩＰ）フローの一組の所定のサービスにマッピングすることができる。それ故、移動局は、複数のサービスを同時に使用することができ、それ故、データが種々の優先度を有している送信用のデータをバッファすることができる。それ故、いくつかの移動局１０５は、バッファされ、送信待ちの優先度の高いデータだけを有することができ、一方、他の移動局は、送信待ちの優先度の低いデータだけを有することができる。さらに、いくつかの移動局は、優先度の高いデータおよび優先度の低いデータの混在したものを有することができる。それ故、いくつかの実施形態の場合には、移動局１０５は、無線ベアラ／ＩＰフローを、優先順位付けスキームにより送信することができる。
【００１７】
移動局１０５は、種々の無線ベアラまたはＩＰフロー１０７、１０９および１１１により送信したＰＤＵの他に、データ・パケットまたはＰＤＵ１１３上に、スケジューリング情報（ＳＩ）および／または制御情報１１５を付加または「ピギーバック」することができる。
【００１８】
通常、ＰＤＵは、ＡＲＱまたはＨＡＲＱスキームにより送信される。この場合、データを、この場合は、基地局１０３またはコントローラ１０１である、受信側で再組立てすることができるように、ＰＤＵは、関連するシーケンス番号（ＳＮ）を有する。
【００１９】
それ故、受信したデータ・パケット１１７により示すように、ＰＤＵを、間違った順序で受信する恐れがあり、それ故、ＰＤＵ  ＳＮ＃１  １１９が最初に受信される恐れがある。一方、ＰＤＵ  ＳＮ＃５が次に受信され、ＰＤＵ  ＳＮ＃３が最後に受信される。
【００２０】
図２は、いくつかの実施形態の場合には、個別チャネルまたはエンハンスト個別チャネルを含むことができる無線インタフェース２０５を介して無線ネットワーク２０３と通信する移動局２００を示す。移動局２００は、バッファされたデータ２０１を含むメモリを有し、バッファされたデータは、さらに、種々のサービスおよび／または無線ベアラと関連する一組のＰＤＵ２０７を含む。すでに説明したように、種々の実施形態においては、特定のサービスを特定の無線ベアラにマッピングすることができる。
【００２１】
図２の例は、図１の移動局１０９のような優先度の高いデータおよび優先度の低いデータの混在したものを含む移動局を示す。図２の場合には、第１のまたは高い優先度を有し、第１の無線ベアラに対応する第１の組のＰＤＵがバッファされる。すなわち、優先度＃１のデータが無線ベアラ＃１２０９にマッピングされる。同様に、第２のレベルの優先度を有し、第２の無線ベアラに対応する第２の組のＰＤＵがバッファされる。すなわち、優先度＃２のデータが無線ベアラ＃２  ２１１にマッピングされる。
【００２２】
図２の例の場合には、レベル３のデータはバッファされない。それ故、無線ベアラ＃３  ２１３にマッピングされる優先度＃３のデータは格納されない。また図２の場合には、無線ベアラ＃４  ２１５にマッピングされた優先度＃４に対してデータがバッファされる。それ故、優先度の任意の混在したものを有するデータを格納することができることを理解されたい。この場合、図２に示すように、任意の特定の優先度を、特定の無線ベアラにマッピングすることができる。許可された一組のリソースの場合には、移動局２００は、優先度の最も高いデータ２０９を送信し、優先度の低いデータ２１１を送信し、最後に優先度の最も低いデータ２１５を送信する。
【００２３】
図１の戻って簡単に説明すると、移動局１０５が、ＳＮによりＰＤＵへのＳＩまたは制御情報をピギーバックしている場合には、ＳＩまたは制御情報は、間違った順序のＰＤＵ、優先順位が付けられたＰＤＵまたはＩＰフロー１０７、１０９、１１１等を通しての特定のデータ・タイミングを含んでいないために、間違った順序になっている場合がある。ＳＩまたは制御情報がすべてのＩＰフロー１０７、１０９、１１１等を横切って共通であるが、例えば、ＩＰフロー＃１  １０７のようなＩＰフローのうちの１つに関連するデータ・パケットに付加される場合には、特定の問題が起こる。データ・パケット１１３と関連するシーケンス番号は、制御情報１１５を順番に配列するために使用することができない。
【００２４】
ここで図３を参照すると、この図は、種々の実施形態による移動局３００および基地局３０１のアーキテクチャを示す。移動局３００は、ＶｏＩＰアプリケーション３０５を有するスタック、ネットワーク・レイヤ３０７、無線リンク・コントローラ（ＲＬＣ）３０９、媒体アクセス・コントローラ（ＭＡＣ）３１１、および物理レイヤ（ＰＨＹ）３１３を含む。さらに、移動局３００は、他の構成要素／レイヤのうちの任意のものから独立させることもできるし、一体とすることもできるＨＡＲＱ構成要素３１５を有する。移動局３０１のＨＡＲＱ構成要素３１５は、データを送信または受信するために、リソース割当てを判定するためのメッセージを受信することができる。移動局は、物理レイヤ３１３により基地局との間で種々のメッセージを送受信することができる。
【００２５】
上記実施形態の場合には、移動局３００は、サービス、無線ベアラおよび／または優先度に関連するデータを格納するための１つまたは複数のデータ・バッファ３０４を有する。さらに、移動局３００は、種々の無線ベアラを通して、ＳＩおよび／または制御情報をＰＤＵにピギーバックするための、またＳＩと一緒にインジケータを内蔵するためのＳＩユニット３０３を有する。ＳＩおよび／または制御情報は、チャネル品質インジケータ（ＣＱＩ）、バッファ状態等のような、しかし、これらに限定されない増分制御情報であってもよい。
【００２６】
基地局３０１は、移動局３００と同様に、ネットワーク・レイヤ３１９、ＲＬＣ３２１，ＭＡＣ３２３およびＰＨＹ３２５を有する。しかし、基地局３０１は、さらに、いくつかの実施形態の場合に、ＨＡＲＱスケジューリング構成要素３２７を有することができる。基地局３０１のＨＡＲＱスケジューリング構成要素３２７は、データを送受信するためにそのリソース割当てを表示するための種々のメッセージを移動局に送信することができる。さらに、ＨＡＲＱスケジューリング構成要素３２７は、いくつかの実施形態において、ＨＡＲＱサブグループを定義することができる。
【００２７】
上記実施形態の基地局は、またデータ・スケジューリング／区分化および再組立てモジュール３０２を含む。モジュール３０２は、図に示すように、独立したモジュールであってもよいし、ＨＡＲＱスケジューリング構成要素３２７のような種々の他のモジュールに内蔵させることもできる。さらに、図３のモジュールは、図１のネットワーク・コントローラ１０１および基地局１０３のような基地局およびネットワーク・コントローラ間に分散することもできる。
【００２８】
図３に戻って説明すると、モジュール３０２は、移動局のデータ送信スケジュールを判定し、またいくつかの実施形態の場合、移動局が許可したリソースを通してデータを送信することができる種々のデータ優先度レベルを判定することができる。
【００２９】
上記実施形態の場合には、モジュール３０２は、移動局のバッファ状態のような、しかし、これに限定されないＳＩをＳＩ受信ユニット３１７から受信することができる。ＳＩ受信ユニット３１７は、移動局３００からＳＩを受信し、ＰＤＵにピギーバックされている受信したＳＩの順序を判定し、また任意のこのような情報が古くなっていていつ廃棄すべきかまた廃棄すべきかどうかも判定する。
【００３０】
図４は、いくつかの実施形態による移動局の一次構成要素を示すブロック図である。移動局４００は、ユーザ・インタフェース４０１と、少なくとも１つのプロセッサ４０３と、少なくとも１つのメモリ４０５とを含む。メモリ４０５は、移動局のオペレーティング・システム４０７と、アプリケーション４１９のための十分な記憶装置と、一般的なファイル記憶装置４１１とを有する。移動局４００のユーザ・インタフェース４０１は、キーパッド、タッチスクリーン、音声作動コマンド入力、およびジャイロスコープ的カーソル制御装置を含むが、これらに限定されないユーザ・インタフェースの組合わせであってもよい。移動局４００は、専用プロセッサおよび／またはメモリ、ドライバ等（図４には図示せず）を有することもできるグラフィカル・ディスプレイ４１３を有する。
【００３１】
図４は、説明のためだけのものであり、また本発明による移動局の主な構成要素を示すためのものであり、移動局が必要とする種々の構成要素およびその間の接続の完全な略図ではないことを理解されたい。それ故、移動局は、図４に図示していない種々の他の構成要素を含むことができ、依然として本発明の範囲に含まれる。
【００３２】
図４に戻って説明すると、移動局４００は、また、トランシーバ４１５および４１７のような多数のトランシーバを含むこともできる。トランシーバ４１５および４１７は、ＵＭＴＳ，Ｅ−ＵＭＴＳ，Ｅ−ＨＲＰＤ、ＣＤＭＡ２０００、８０２．１１、８０２．１６等のような、しかしこれらに限定されない種々の規格を使用する種々の無線ネットワークと通信するためのものであってもよい。
【００３３】
メモリ４０５は、説明のためだけのものであって、種々の方法で構成することができるが、依然として本発明の範囲内に含まれる。例えば、メモリ４０５は、それぞれがプロセッサ４０３と結合しているいくつかの要素から構成することができる。さらに、独立プロセッサおよびメモリ素子は、グラフィカル・ディスプレイ上にグラフィカル・イメージをレンダリングするというような特定のタスク専用のものであってもよい。いずれにせよ、メモリ４０５は、オペレーティング・システム４０７、アプリケーション４１９のために記憶装置を提供する機能を少なくとも有し、移動局４００のための一般的なファイル記憶装置４１１を有する。いくつかの実施形態の場合には、また図３に示すように、アプリケーション４１９は、基地局内のスタックと通信するソフトウェア・スタックを含むことができる。種々の実施形態の場合には、ファイル記憶装置４１１は、送信の前に種々の優先度レベルのデータを格納するためのデータ・バッファ４２１を含むことができる。
【００３４】
また、上記種々の実施形態の場合には、アプリケーション４１９は、データ・バッファ４２１内に格納しているＳＩをピギーバックするための、またＳＩ情報のインジケータを追加するためのＳＩユニット４０９を含むことができる。
【００３５】
図５ａおよび図５ｂは、上記実施形態による、データＰＤＵにピギーバックされる、またＳＩユニット４０９のような、ＳＩユニットにより追加されるＳＮ５０３およびインジケータ・フィールド５０５を有する、ＳＩおよび／または増分制御情報５０１を示すビットマップ図である。図５ｂは、４つのビット位置を有するビットマップであってもよいインジケータの詳細図を示す。２進法の「１」の値を有するビット位置は、ＳＩ情報の以前のＳＮが依然として有効であることを表示するために使用することができる。例えば、ビットマップ・シーケンスの「０１００」は、ＳＮ＃３が依然として有効であることを表示することができる。次に、基地局またはコントローラは、表示のＳＮを有するＳＩ情報を実施すべきかまたは廃棄すべきかを判定することができる。
【００３６】
それ故、移動局が送信したＳＩの量は、いくつかの実施形態のインジケータにより制限される場合がある。何故なら、インジケータが、基地局、またはコントローラ・スケジューラが格納している場合がある任意の以前のＳＩの識別を容易にするからである。例えば、異なる優先度の異なる１つのまたは複数の無線ベアラについての情報を提供したあるＳＩが依然として有効である場合があるからである。優先度の最も高いデータの無線ベアラ内にデータが到着すると、新しいＳＩの送信がプロンプトされる場合がある。一方、優先度の低いデータの無線ベアラの情報を提供する送信された以前のＳＩが依然として有効な場合がある。しかし、移動局が、ネットワークがＳＩの受信に成功したことを示すＡＣＫを受信していない場合がある。それ故、インジケータは、それにより現在のＳＩ送信をトリガしているものに送信した情報を制限する、依然として有効な以前のＳＩのシーケンス番号を提供する。
【００３７】
ＳＮフィールド５０３の長さは、２または３ビットであってもよく、ＳＩおよび／または増分制御情報に関連しているが、ピギーバック・ホストＰＤＵのＳＮとは関連していないＳＮを表示する。
【００３８】
無線ベアラのグループが、グループ毎のＳＮとして定義されているいくつかの実施形態の場合には、ネットワークは、周期的にまたはイベントによりトリガされる度に、別々に各グループに対するスケジューリング情報の送信を構成することができる。移動局は、任意の無線ベアラ・グループに関連するデータ・ペイロードに共通の制御情報を付加することができ、それによりネットワークのところで潜在的に間違った順序で受信が行われることになる。それ故、上記実施形態の場合には、制御情報シーケンス番号が使用されるが、その場合、このシーケンス番号は、特定の無線ベアラ・グループに関連するすべてのデータ・パケットに共通なものである。
【００３９】
図６は、上記実施形態の高いレベルでの動作を示す。ステップ６０１において、スケジューリング情報を含むことができる制御情報が、シーケンス番号がデータ・パケットに割り当てられるデータ・パケット上に付加されるか、または「ピギーバック」される。ステップ６０３において、データ・パケットのシーケンス番号とは異なる制御情報シーケンス番号が、制御情報に追加される。ステップ６０５において、データ・パケットが、関連リソース割当てにより送信される。ステップ６０７において、いくつかの実施形態の場合には、制御情報に肯定応答することができるように、制御情報に対してＡＲＱ／ＨＡＲＱ機構を使用することができる。「否定応答」メッセージにより制御情報がハッキリと肯定応答されない場合には、それをデータ・パケット上に再度ピギーバックすることにより制御情報を再送することができる。制御情報は、また、タイマがタイムアウトする前に、「肯定応答」または「否定応答」を受信しなかった場合には、制御情報を再送することができるというようにタイマにより制御することもできる。
【００４０】
今まで種々の実施形態について図示し、説明してきたが、本発明はそれにより制限されるものでないことを理解されたい。当業者であれば、添付の特許請求の範囲に記載する本発明の精神および範囲から逸脱することなしに、種々の修正、変更、変更、置換および等価物を思い付くことができるだろう。
【図１】
2010511356.tif 000003
【図２】
2010511356.tif 000004
【図３】
2010511356.tif 000005
【図４】
2010511356.tif 000006
【図５Ａ】
2010511356.tif 000007
【図５Ｂ】
2010511356.tif 000008
【図６】
2010511356.tif 000009
【国際調査報告】
2010511356.tif 000010
2010511356.tif 000011
2010511356.tif 000012